(57)【要約】      （修正有）【課題】集光効果を高めると同時に投射距離を効果的に延長する集光効果に優れるスポットライトの構造を提供する。【解決手段】ライトホルダ板２０上に数個の配列された発光体１０を設け、外側には集光作用を具有する集光レンズ３０を設け、該ライトホルダ板２０と該集光レンズ３０を固定部によって連結させて一体とし、更に固定部によって固定板５０外側にこれを連結し、該固定板５０を外殻６０内に設置し、更に保護板４０を該集光レンズ３０の外側に設ける。【選択図】図２
0003101908.tif 000002
【実用新案登録請求の範囲】
【請求項１】
ライトホルダ板、該ライトホルダ板上に設けられた数個の発光する発光体、固定板と透光性を具有し該ライトホルダ板外に位置する保護板とが外殻内側に設けられており、該保護板と該外殻とが連結されて一体となっているスポットライトの構造において、
該ライトホルダ板外側には更に間隔を空けて集光効果を具有する集光レンズが設けられており、且つ、該ライトホルダ板と該集光レンズが一体となったものが該固定板上に固定されていることを特徴とする集光効果に優れるスポットライトの構造。
【請求項２】
前記集光レンズは数個の配列された凸レンズより構成されることを特徴とする請求項１記載の集光効果に優れるスポットライトの構造。
【請求項３】
前記ライトホルダ板上に設けられた発光体は扁平状を呈した発光ダイオードであることを特徴とする請求項１記載の集光効果に優れるスポットライトの構造。
【請求項４】
前記ライトホルダ板上に設けられた発光体は半円形状を呈した発光ダイオードであることを特徴とする請求項１記載の集光効果に優れるスポットライトの構造。
【請求項５】
前記集光レンズは蜂の巣状を呈した集光レンズであることを特徴とする請求項１記載の集光効果に優れるスポットライトの構造。
【考案の詳細な説明】
【技術分野】
【０００１】
本考案は集光効果に優れるスポットライトの構造に係り、特に赤外光線の投射距離を延長及び集中させる効果を具有するスポットライトの構造に関わる。
【背景技術】
【０００２】
従来より、複数の発光体を組み込んだスポットライトは、例えば、特許文献１に示すように知られている。
一般に、現在使用されている赤外線によるスポットライト７０は、図７に示すように、その目的を夜間の照明や撮影機材を使用する際の光源を提供する便利なものとなっている。
前方の照明部の基本的な構造においては、図８に示すように、数個の半円形を呈した発光ダイオード７１が穿孔を通してライトホルダ板に固定され、該発光ダイオード外側の照明部には平面を呈したガラス板或いは平面を呈したプラスティック板によって構成される透明の外板７２が設けられており、発光ダイオードの構造を保護する。こういった公知におけるスポットライトは、半円形状の発光ダイオード７１を使用しており、電気が導通すると発光し、また該発光ダイオード７１は半円形を呈していることより、集光レンズ同様の効果が提供され、投射効果が上げられている。
【特許文献１】特開平１０−３０２５１４号
【考案の開示】
【考案が解決しようとする課題】
【０００３】
しかし上述のような公知におけるスポットライトの構造において、以下のような欠点がある。
先ず、半円形を呈した発光ダイオードは、電気が通じて発光する際、光線がその先端部より外部に散ってしまい、効果的に光を集中させることができず、投射効果が落ちてしまう。また透明の外板においては、その形状が平面状であることから、発光ダイオードを保護はできても、集光の効果はなく、また投射できる距離は約20〜25メートルに限られてしまい、投射距離においてもまだ不足していることが言える。
そこで上述の欠点に鑑み、本考案は、集光効果を高めると同時に投射距離を効果的に延長する本考案の集光効果に優れるスポットライトの構造を提供する。
【課題を解決するための手段】
【０００４】
本考案は、上記の課題を解決するために、ライトホルダ板上に数個の配列された発光体を設け、外側には集光作用を具有する集光レンズを設け、該ライトホルダ板と該集光レンズを固定部によって連結させて一体とし、更に固定部によって固定板外側にこれを連結し、該固定板を外殻内に設置し、更に保護板を該集光レンズ外側に設ける。
すなわち、請求項１の考案は、ライトホルダ板、該ライトホルダ板上に設けられた数個の発光する発光体、固定板と透光性を具有し該ライトホルダ板外に位置する保護板とが外殻内側に設けられており、該保護板と該外殻とが連結されて一体となっているスポットライトの構造において、該ライトホルダ板外側には更に間隔を空けて集光効果を具有する集光レンズが設けられており、且つ、該ライトホルダ板と該集光レンズが一体となったものが該固定板上に固定されていることを特徴とする集光効果に優れるスポットライトの構造である。
【０００５】
請求項２の考案は、前記集光レンズは数個の配列された凸レンズより構成されることを特徴とする請求項１記載の集光効果に優れるスポットライトの構造である。
請求項３の考案は、前記ライトホルダ板上に設けられた発光体は扁平状を呈した発光ダイオードであることを特徴とする請求項１記載の集光効果に優れるスポットライトの構造である。
請求項４の考案は、前記ライトホルダ板上に設けられた発光体は半円形状を呈した発光ダイオードであることを特徴とする請求項１記載の集光効果に優れるスポットライトの構造である。
請求項５の考案は、前記集光レンズは蜂の巣状を呈した集光レンズであることを特徴とする請求項１記載の集光効果に優れるスポットライトの構造である。
【考案の効果】
【０００６】
本考案によると、集光レンズを用い、集光効果を高めることで投射距離が効果的に延長するという効果を有する。
【考案を実施するための最良の形態】
【０００７】
本考案の実施例を図に沿って説明するが、光線集光作用を具有するスポットライトにおいて、図１から図４に示すように、主にライトホルダ板２０，集光レンズ３０，保護板４０，固定板５０及び外殻６０などより構成される。
図１，２に示すように、発光体１０は、扁平状を呈しており、且つ集光部１１を具有する。また、発光体１０の本体上には、導電用の一対の第一ピン１２及びもう一対の第二ピン１３が設けられている。該発光体１０は赤外光線を発光するものである。
前記ライトホルダ板２０においては、数個の配列されたライトホルダ孔２１が設けられており、該発光体１０と連結される。また該ライトホルダ板２０の四隅には数個の穿孔が設けられており、その他の部品と連結する個所が提供されている。
前記集光レンズ３０においては、全体として板状を呈しており、該板上に数個の凸レンズ３１が設けられているものであり、集光作用を有するものである。該集光レンズ３０の四隅は該ライトホルダ板２０の位置に対応し、固定部品によって相互に固定されるべく数個の穿孔が設けられている。
前記固定板５０においては、該ライトホルダ板２０上に対応した穿孔が設けられている。
前記保護板４０には耳部４２が設けられ、該耳部４２上には穿孔が設けられている。該保護板４０の中央には透明板４１が設けられていることで、透光作用を有する。
前記外殻６０においては、該保護板４０に対応した外殻耳部６１が設けられており、該耳部６１上には数個の穿孔が設けられている。
【０００８】
本考案の実施例の発光体１０においては、それぞれ一対ずつ設けられた第一ピン１２と第二ピン１３が、該ライトホルダ板２０上のライトホルダ孔２１に固定され、該ライトホルダ孔２１の回路によって発光するものとする。各該発光体１０より提供される光線は、該集光部１１を通過して集光されて投射される。該ライトホルダ板２０の四隅には、固定部品によって該集光レンズ３０と連結される構造を具有するが、これは該ライトホルダ板２０の四隅に設けられた穿孔であり、これによって該集光レンズ３０の相対する位置に設けられ穿孔と共に固定部品によって固定されて一体となり、図３に示すような状態となる。
【０００９】
図３に示すように、該ライトホルダ板２０と該集光レンズ３０とが連結されて一体となると、該集光レンズ３０上には数個の凸レンズ３１が蜂の巣状に配列されており、且つ各該凸レンズ３１は該レンズホルダ板２０上の発光体１０に対応していることから、該発光体１０より提供される光線が、該集光レンズ３０上の相対する凸レンズ３１で集光され、投射距離を伸ばす効果を有する。また上述の固定部の長さによって形成される相対距離は、ちょうど該ライトホルダ板２０と該集光レンズ３０との間が適当な焦点距離を形成するよう設定し、該集光レンズ３０上の小型の凸レンズ３１が最も優れた集光作用を有するようにする（図４参照）。こうすることで従来のスポットライトの照射距離が約20〜25メートルであったのに対し、本考案では約70メートルの投射距離が得られる。
【００１０】
前記ライトホルダ板２０はその四隅に設けられた穿孔以外にも穿孔を設け、固定部によって前記固定板５０上にて対応する位置に設けられた穿孔に連結し、該ライトホルダ板２０と前記集光レンズ３０とが該固定板５０上にて固定される。略L字型を呈した該固定板５０は前記外殻６０の内側に固定され、該外殻６０内部には回路構造が設置される個所をふくむ。該ライトホルダ板２０と該集光レンズ３０とが連結されたものを、該固定板５０の直立する面と相互に連結し、該ライトホルダ板２０と該集光レンズ３０の連結されたものとが該外殻６０内にちょうど収められる。
【００１１】
更に、前記保護板４０が該ライトホルダ板２０と該集光レンズ３０とが連結されたものの外側に設置される。該保護板４０の両側には耳部４２が設けられており、該耳部４２には穿孔が設けられており、固定部によって該外殻６０の耳部６１に相対して設けられた穿孔に固定され、該保護板４０が該外殻６０の前側にて固定され、該ライトホルダ板２０と該集光レンズ３０の外側の保護効果を提供する。該保護板の中央位置には透明板４１が設けられ、該発光体１０より提供される光線が集光を経て、該透明板４１より投射されるようになっており、集光及び投射の効果を提供する（図５参照）。
【００１２】
また、本考案の使用目的を撮影機材用とした場合、図６に示すような外観とし、必要に応じて該発光体１０は扁平形を呈した発光ダイオード（図１参照）或いは半円形状の発光ダイオード（図８参照）としてもよい。
【図面の簡単な説明】
【００１３】
【図１】本考案の実施例における発光体の外観図である。
【図２】本考案の実施例における分解説明図（１）である。
【図３】本考案の実施例における分解説明図（２）である。
【図４】本考案の実施例における断面図である。
【図５】本考案の実施例における立体図である。
【図６】本考案の実施例における説明図である。
【図７】公知のスポットライトにおける立体図である。
【図８】公知の発光ダイオードにおける立体図である。
【符号の説明】
【００１４】
１０  発光体
１１  集光部
１２  第一ピン
１３  第二ピン
２０  ライトホルダ板
２１  ライトホルダ孔
３０  集光レンズ
３１  凸レンズ
４０  保護板
４１  透明板
４２  耳部
５０  固定板
６０  外殻
６１  外殻耳部
７０  公知のスポットライト
７１  発光ダイオード
７２  透明外板
【図１】
0003101908.tif 000003
【図２】
0003101908.tif 000004
【図３】
0003101908.tif 000005
【図４】
0003101908.tif 000006
【図５】
0003101908.tif 000007
【図６】
0003101908.tif 000008
【図７】
0003101908.tif 000009
【図８】
0003101908.tif 000010